(57)【要約】【課題】実装作業の効率化が図れるとともに、小型で安価なスイッチ一体型カードコネクタの提供。  【解決手段】ハウジング１３は、カード体Ａが当て止めされるカード挿し込み規制部３２ａと、カード挿入部１１の側部にカード挿抜方向で移動可能に保持されたイジェクタ４０と、カード挿入部１１の後方に配設された非操作側スイッチコンタクト６１と、イジェクタ４０の後方に配置され、イジェクタ４０に押圧されることにより非操作側スイッチコンタクト６１に対し接触又は離反するように動作する操作側スイッチコンタクト７１とを備え、イジェクタ４０を所望の挿入位置ＰＬより後方に押し込むことにより、操作側スイッチコンタクト７１と非操作側スイッチコンタクト６１とからなる独立型スイッチ１５がカード体Ａの挿抜動作から独立して動作できるようにしたスイッチ一体型カードコネクタ１０。【選択図】図２
2015115206.tif 000002
【特許請求の範囲】
【請求項１】
カード体が挿入されるカード挿入部が前面に開口したハウジングと、前記カード挿入部内に突出するように前記ハウジングに配設された複数のコンタクトとを備えたカードコネクタであって、
前記ハウジングは、前記カード体が当て止めされて該カード体の所望の挿入位置より後方への移動を規制するカード挿し込み規制部と、前記カード挿入部の側部にカード挿抜方向で移動可能に保持され、少なくとも前記カード体の取出し時に該カード体とともに移動するイジェクタと、前記カード挿入部の後方に配設された非操作側スイッチコンタクトと、前記イジェクタの後方に配置され、前記イジェクタに押圧されることにより前記非操作側スイッチコンタクトに対し接触又は離反するように動作する操作側スイッチコンタクトとを備え、
前記イジェクタを前記所望の挿入位置より後方に押し込むことにより、前記操作側スイッチコンタクトと前記非操作側スイッチコンタクトとからなる独立型スイッチが前記カード体の挿抜動作から独立して動作できるようにしたことを特徴としてなるスイッチ一体型カードコネクタ。
【請求項２】
前記イジェクタの前端部に、前記ハウジングの前端面より突出した取手部を備え、該取手部を引くことにより前記イジェクタに押されてカード体がハウジングより抜き出されるようにした請求項１に記載のスイッチ一体型カードコネクタ。
【請求項３】
前記ハウジングに前記カード体の挿入状態を検出するカード検出用スイッチを備え、
該カード検出用スイッチは、前記カード挿入部の後部に配設されたカード検出用固定スイッチ端子と、前記カード挿入部の後部に配置され、前記カード体がカード挿入部に挿入された際に前記カード体の後縁に押圧されて前記カード検出用固定スイッチ端子より離反する方向に動作するカード検出用可動スイッチ端子とを備え、
前記カード検出用可動スイッチ端子を前記非操作側スイッチコンタクトとし、
前記操作側スイッチコンタクトは、前記イジェクタに押圧されて前記カード検出用可動スイッチ端子と接触する方向に動作するようにした請求項１又は２に記載のスイッチ一体型カードコネクタ。
【請求項４】
前記ハウジングの内側面より突出して前記イジェクタの外側面部と係合し、前記イジェクタの前記所望の挿入位置より後方への移動を規制する押し込み規制体と、該押し込み規制体を前記イジェクタより離脱する方向に動作させる解除手段とを備えた請求項１〜３の何れか１項に記載のスイッチ一体型カードコネクタ。
【請求項５】
前記イジェクタに前端面に開口したピン挿通孔を備え、
前記押し込み規制体は、前記イジェクタの外側面部に形成された後方に向けた当接面部が当接するストッパー部と、前記イジェクタの外側面に開口した係合孔を通して前記ピン挿通孔内に突出する操作部とを備えた片持ちばね状に形成され、
前記解除手段を構成する棒状の解除ピンを前記ピン挿通孔に挿入することにより、前記解除ピンの外周が前記操作部を外向きに押圧し、前記押し込み規制体を前記ストッパー部が前記当接面部より離脱する方向に動作させるようにした請求項４に記載のスイッチ一体型カードコネクタ。
【請求項６】
前記解除ピンは、棒状のピン本体の外周部にフランジ状に形成された押圧部を備えた請求項５に記載のスイッチ一体型カードコネクタ。
【請求項７】
前記押し出し規制体は、前記イジェクタの外側面に形成された係合凹部と嵌合する係合部を備え、
該係合部が前記係合凹部と係合することにより、前記イジェクタの前記所望の挿入位置より後方への移動を規制し、且つ、前記イジェクタを一定以上の力で押し込むと前記係合部が前記係合凹部の内側面に押圧されて該係合凹部より離脱する方向に前記押し出し規制体が動作するようにした請求項４に記載のスイッチ一体型コネクタ。
【発明の詳細な説明】
【技術分野】
【０００１】
本発明は、電子機器にカードを接続するためのカードコネクタであって、主にリセット用又はシャットダウン認識用等に用いられるスイッチが一体化されたスイッチ一体型カードコネクタに関する。
【背景技術】
【０００２】
携帯電話機、スマートフォン等の携帯通信機器やカメラ等の電子機器の外部情報記憶媒体には、ＩＣカードやフラッシュメモリーカード等のカードが使用されており、このカードと電子機器に搭載されたプリント配線基板とをカードコネクタを介して電気的に接続させている。
【０００３】
一方、このような電子機器においては、電子機器に異常が生じた際に当該電子機器の制御部にリセット又はシャットダウンを認識させるためのスイッチを備えたものが広く知られている（例えば、特許文献１の００２０段落を参照）。
【０００４】
従来、このようなスイッチは、カードコネクタとは別体に設けられるのが一般的であるが、例えば、図９に示すように、カードコネクタ１とスイッチ２とを互いに隣り合わせ配置に一体化させ、実装基板にカードコネクタ１とスイッチ２とを同時に実装できるようにし、電子機器の組み立て作業の効率化を図ったスイッチ一体型のカードコネクタも開発されている。
【０００５】
スイッチ２は、収容部３にカード挿抜方向で押し込み可能に保持された操作部材４を備え、操作部材４を押し込むことにより、可動接点５の固定接点に対する位置が変位することによりスイッチ２のオン・オフ状態の切り替えがされる構造になっている。
【先行技術文献】
【特許文献】
【０００６】
【特許文献１】特開平１１−８５９１５号公報
【発明の概要】
【発明が解決しようとする課題】
【０００７】
しかしながら、上述の如き従来の技術では、電子機器にカードコネクタとスイッチとをそれぞれ別個に備える場合、実装基板上に両者の実装スペースをそれぞれに確保しなければならず、その分、実装基板に占める面積も大きくなるため電子機器の小型化を阻害するという問題があり、また、カードコネクタとスイッチとを個々に実装基板に実装する必要がある為、実装時の作業効率が悪いという問題があった。
【０００８】
一方、上述した従来のスイッチ一体型のカードコネクタは、用途及び構造が異なる二つの部品を互いに隣り合わせて一体化させたものであり、スイッチの分だけコネクタ幅方向が大きくなるので、カードコネクタが実装基板に占める面積とスイッチが実装基板に占める面積は、カードコネクタとスイッチとを別体に設けた場合と一体化した場合とでさほど差がなく、電子機器の小型化に寄与しないという問題があった。
【０００９】
そこで、本発明は、このような従来の問題に鑑み、実装作業の効率化が図れるとともに、小型で安価なスイッチ一体型カードコネクタの提供を目的としてなされたものである。
【課題を解決するための手段】
【００１０】
上述の如き従来の問題を解決し、所期の目的を達成するための請求項1に記載の発明の特徴は、カード体が挿入されるカード挿入部が前面に開口したハウジングと、前記カード挿入部内に突出するように前記ハウジングに配設された複数のコンタクトとを備えたカードコネクタであって、前記ハウジングは、前記カード体が当て止めされて該カード体の所望の挿入位置より後方への移動を規制するカード挿し込み規制部と、前記カード挿入部の側部にカード挿抜方向で移動可能に保持され、少なくとも前記カード体の取出し時に該カード体とともに移動するイジェクタと、前記カード挿入部の後方に配設された非操作側スイッチコンタクトと、前記イジェクタの後方に配置され、前記イジェクタに押圧されることにより前記非操作側スイッチコンタクトに対し接触又は離反するように動作する操作側スイッチコンタクトとを備え、前記イジェクタを前記所望の挿入位置より後方に押し込むことにより、前記操作側スイッチコンタクトと前記非操作側スイッチコンタクトとからなる独立型スイッチが前記カード体の挿抜動作から独立して動作できるようにしたスイッチ一体型カードコネクタにある。
【００１１】
請求項２に記載の発明の特徴は、請求項１の構成に加え、前記イジェクタの後端部に、前記ハウジングの前端面より突出した取手部を備え、該取手部を引くことにより前記イジェクタに押されてカード体がハウジングより抜き出されるようにしたことにある。
【００１２】
請求項３に記載の発明の特徴は、請求項１又は２の構成に加え、前記ハウジングに前記カード体の挿入状態を検出するカード検出用スイッチを備え、該カード検出用スイッチは、前記カード挿入部の後部に配設されたカード検出用固定スイッチ端子と、前記カード挿入部の後部に配置され、前記カード体がカード挿入部に挿入された際に前記カード体の後縁に押圧されて前記カード検出用固定スイッチ端子より離反する方向に動作するカード検出用可動スイッチ端子とを備え、前記カード検出用可動スイッチ端子を前記非操作側スイッチコンタクトとし、前記操作側スイッチコンタクトは、前記イジェクタに押圧されて前記カード検出用可動スイッチ端子と接触する方向に動作するようにしたことにある。
【００１３】
請求項４に記載の発明の特徴は、請求項１〜３の何れか１項の構成に加え、前記ハウジングの内側面より突出して前記イジェクタの外側面部と係合し、前記イジェクタの前記所望の挿入位置より後方への移動を規制する押し込み規制体と、該押し込み規制体を前記イジェクタより離脱する方向に動作させる解除手段とを備えたことにある。
【００１４】
請求項５に記載の発明の特徴は、請求項４の構成に加え、前記イジェクタに前端面に開口したピン挿通孔を備え、前記押し込み規制体は、前記イジェクタの外側面部に形成された後方に向けた当接面部が当接するストッパー部と、前記イジェクタの外側面に開口した係合孔を通して前記ピン挿通孔内に突出する操作部とを備えた片持ちばね状に形成され、前記解除手段を構成する棒状の解除ピンを前記ピン挿通孔に挿入することにより、前記解除ピンの外周が前記操作部を外向きに押圧し、前記押し込み規制体を前記ストッパー部が前記当接面部より離脱する方向に動作させるようにしたことにある。
【００１５】
請求項６に記載の発明の特徴は、請求項５の構成に加え、前記解除ピンは、棒状のピン本体の外周部にフランジ状に形成された押圧部を備えたことにある。
【００１６】
請求項７に記載の発明の特徴は、請求項４の構成に加え、前記押し出し規制体は、前記イジェクタの外側面に形成された係合凹部と嵌合する係合部を備え、該係合部が前記係合凹部と係合することにより、前記イジェクタの前記所望の挿入位置より後方への移動を規制し、且つ、前記イジェクタを一定以上の力で押し込むと前記係合部が前記係合凹部の内側面に押圧されて該係合凹部より離脱する方向に前記押し出し規制体が動作するようにしたことにある。
【発明の効果】
【００１７】
本発明に係るスイッチ一体型カードコネクタは、上述したように、カード体が挿入されるカード挿入部が前面に開口したハウジングと、前記カード挿入部内に突出するように前記ハウジングに配設された複数のコンタクトとを備えたカードコネクタであって、前記ハウジングは、前記カード体が当て止めされて該カード体の所望の挿入位置より後方への移動を規制するカード挿し込み規制部と、前記カード挿入部の側部にカード挿抜方向で移動可能に保持され、少なくとも前記カード体の取出し時に該カード体とともに移動するイジェクタと、前記カード挿入部の後方に配設された非操作側スイッチコンタクトと、前記イジェクタの後方に配置され、前記イジェクタに押圧されることにより前記非操作側スイッチコンタクトに対し接触又は離反するように動作する操作側スイッチコンタクトとを備え、前記イジェクタを前記所望の挿入位置より後方に押し込むことにより、前記操作側スイッチコンタクトと前記非操作側スイッチコンタクトとからなる独立型スイッチが前記カード体の挿抜動作から独立して動作できるようにしたことにより、イジェクタを独立型スイッチの操作部分とすることができ、その分、スイッチ一体型カードコネクタの小型化を図ることができる。
【００１８】
また、本発明において、前記イジェクタの後端部に、前記ハウジングの前端面より突出した取手部を備え、該取手部を引くことにより前記イジェクタに押されてカード体がハウジングより抜き出されるようにしたことにより、簡易な構造でカードを取り出すことができる。
【００１９】
更に、本発明において、前記ハウジングに前記カード体の挿入状態を検出するカード検出用スイッチを備え、該カード検出用スイッチは、前記カード挿入部の後部に配設されたカード検出用固定スイッチ端子と、前記カード挿入部の後部に配置され、前記カード体がカード挿入部に挿入された際に前記カード体の後縁に押圧されて前記カード検出用固定スイッチ端子より離反する方向に動作するカード検出用可動スイッチ端子とを備え、前記カード検出用可動スイッチ端子を前記非操作側スイッチコンタクトとし、前記操作側スイッチコンタクトは、前記イジェクタに押圧されて前記カード検出用可動スイッチ端子と接触する方向に動作するようにしたことにより、部品点数を減らすことができると共に、スイッチ一体型カードコネクタの小型化を図ることができる。
【００２０】
また、本発明において、前記ハウジングの内側面より突出して前記イジェクタの外側面部と係合し、前記イジェクタの前記所望の挿入位置より後方への移動を規制する押し込み規制体と、該押し込み規制体を前記イジェクタより離脱する方向に動作させる解除手段とを備えたことにより、解除手段を用いた場合のみ独立型スイッチを使用でき、独立型スイッチのカード体の挿抜動作に対する独立性を確実に確保できるとともに、独立型スイッチの誤作動を防止することができる。
【００２１】
前記イジェクタに前端面に開口したピン挿通孔を備え、前記押し込み規制体は、前記イジェクタの外側面部に形成された後方に向けた当接面部が当接するストッパー部と、前記イジェクタの外側面に開口した係合孔を通して前記ピン挿通孔内に突出する操作部とを備えた片持ちばね状に形成され、前記解除手段を構成する棒状の解除ピンを前記ピン挿通孔に挿入することにより、前記解除ピンの外周が前記操作部を外向きに押圧し、前記押し込み規制体を前記ストッパー部が前記当接面部より離脱する方向に動作させるようにしたことにより、スイッチ未使用時にはイジェクタを所謂フルロックすることができ、且つ、スイッチ使用時には、解除ピンを用いて容易にフルロック状態を解除することができる。
【００２２】
更に又、前記解除ピンは、棒状のピン本体の外周部にフランジ状に形成された押圧部を備えたことにより、押し込み規制体によるイジェクタの移動規制の解除と、イジェクタの押し込み動作とを同時に行うことができる。
【００２３】
また、本発明において、前記押し出し規制体は、前記イジェクタの外側面に形成された係合凹部と嵌合する係合部を備え、該係合部が前記係合凹部と係合することにより、前記イジェクタの前記所望の挿入位置より後方への移動を規制し、且つ、前記イジェクタを一定以上の力で押し込むと前記係合部が前記係合凹部の内側面に押圧されて該係合凹部より離脱する方向に前記押し出し規制体が動作するようにしたことにより、イジェクタを所謂ハーフロック状態とし、少ない部品点数で前記イジェクタの押し込み動作を規制することができる。
【図面の簡単な説明】
【００２４】
【図１】本発明に係るスイッチ一体型カードコネクタの一例を示す斜視図である。
【図２】（ａ）は図１中のハウジングの縦断面図、（ｂ）は同Ａ−Ａ線断面図である。
【図３】同上のカード体の取出し動作時の状態を示すＡ−Ａ線断面図である。
【図４】図１中のスイッチ一体型カードコネクタのイジェクタをロックする部分を示す部分拡大側面図である。
【図５】同上のＢ−Ｂ線断面図であって、（ａ）はロック状態、（ｂ）はロック解除状態を示す図である。
【図６】同上のカードを挿入した状態を示すＡ−Ａ線断面図である。
【図７】同上の独立型スイッチの動作状態を説明するためのＡ−Ａ線断面図である。
【図８】本発明に係るスイッチ一体型カードコネクタのイジェクタをロックする部分の他の実施例を示す部分拡大横断面図であって、（ａ）はロック状態、（ｂ）はロック解除状態を示す図である。
【図９】従来のスイッチ一体型スイッチの一例を示す斜視図である。
【発明を実施するための形態】
【００２５】
次に、本発明に係るスイッチ一体型カードコネクタの実施の態様を図１〜図７に示す実施例に基づいて説明する。尚、図中符号１０はスイッチ一体型カードコネクタ、符号ＡはＩＣカード等のカード体である。また、本実施例においては、カード挿抜方向の手前側を前、奥側を後として説明する。
【００２６】
このスイッチ一体型カードコネクタ１０は、カード体Ａが挿入されるカード挿入部１１，１２が前面に開口したハウジング１３と、カード挿入部１１内に突出するようにハウジング１３に配設された複数のコンタクト１４，１４...とを備え、カード挿入部１１にカード体Ａを挿入することにより、カード体Ａの片面に配置された信号伝達用のパッド部が対応する各コンタクト１４，１４...と接触し、カードコネクタ１０が実装された実装基板とカード体Ａとを電気的に接続するようになっている。
【００２７】
また、このスイッチ一体型カードコネクタ１０には、電子機器のリセット又はシャットダウン認識用等に使用される独立型スイッチ１５が一体化されている。
【００２８】
ハウジング１３は、図２に示すように、絶縁性合成樹脂材からなるモールド部材２０と、導電性金属板材からなる角筒状のシールドカバー２１とを組み付けることにより上下二段配置にそれぞれカード挿入部１１，１２を有する中空箱状に形成され、上下のカード挿入部１１，１２にカード体Ａがそれぞれ挿入されるようになっている。
【００２９】
シールドカバー２１は、導電性金属板材をプレス加工することにより前面が開口した角筒状に形成され、モールド部材２０の上面を覆う天板２２と、モールド部材２０の下面を覆う底板２３と、モールド部材２０の両側面を覆う側板２４，２５とを備えている。
【００３０】
モールド部材２０は、絶縁性合成樹脂材により成形され、平板状の底板部３０と、底板部３０の上面側の側縁より立ち上げた形状の側壁部３１と、底板部３０の上面後部に配置された後壁部３２とを備え、側壁部３１及び後壁部３２の内側に凹状のカード挿入部１１が形成され、カード挿入部１１の上面及び側面部がシールドカバー２１で覆われている。
【００３１】
底板部３０には、導電性金属板材をプレス加工することにより形成された複数のコンタクト１４，１４...がインサート成形により組み込まれ、各コンタクト１４，１４...の弾性接触片部がカード挿入部１１内に突出し、弾性接触片部先端の接点がカード体Ａの対応するパッド部と接触するようになっている。
【００３２】
後壁部３２は、カード体Ａが当て止めされるカード挿し込み規制部を構成し、カード体Ａの後端が後壁部３２の前端面３２ａに当て止めされることで所望の挿入位置ＰＬより後方へのカード体Ａの移動を規制するようになっている。
【００３３】
また、この後壁部３２には、カード体Ａの挿入状態を検出するカード検出用スイッチ３３と、カード体Ａの挿抜動作から独立して動作する独立型スイッチ１５とを備え、カード検出用スイッチ３３と独立型スイッチ１５との二種類のスイッチがカード挿入部１１の後方にそれぞれ配置されるようになっている。
【００３４】
また、モールド部材２０には、底板部３０側部に上下のカード挿入部１１，１２間で貫通し、且つ、カード挿抜方向に向けた溝部３６を備え、この溝部３６にイジェクタ４０が上下のカード挿入部１１，１２間に跨って挿入され、このイジェクタ４０がシールドカバー２１の側板２４，２５と溝部内縁とに挟まれてカード挿抜方向で移動可能に保持されている。
【００３５】
イジェクタ４０は、上下のカード挿入部１１，１２に跨って配置される角棒状の本体部４１と、本体部４１の前端部にカード挿入部１１側に張り出した鉤部４２とを備え、鉤部４２がカード体Ａの後側縁部に当接し、少なくともカード体Ａの取出し時にカード体Ａとともに移動し、カード体の取出し手段を構成するようになっている。
【００３６】
本実施例では、鉤部４２がカード体Ａの隅部に形成された斜め方向に切欠いた形状の切欠き部Ａａと係合し、カード体挿入時においては、カード体Ａの後端とイジェクタ４０の後端とが所望の挿入位置ＰＬで直線状を成すようになっている。
【００３７】
カード体Ａの取出し手段としては、図３に示すように、イジェクタ４０の前端部にハウジング１３の前端面より突出した取手部４３を備え、取手部４３を指等で摘まんで手前側に引くことによりイジェクタ４０の鉤部４２に押されてカード体Ａがハウジング１３より抜き出されるようになっている。
【００３８】
また、このイジェクタ４０の本体部４１には、外側面部に開口した係合孔４４を備え、この係合孔４４にハウジング１３の内側面より突出した押し込み規制体４５が係合することにより、イジェクタ４０が所望の挿入位置ＰＬより後方へ移動するのを規制できるようになっている。
【００３９】
また、イジェクタ４０には、前端面に開口したカード挿抜方向に向けたピン挿通孔４６を備え、ピン挿通孔４６の後端部と係合孔４４とが連通し、押し込み規制体４５をイジェクタ４０より離脱する方向に動作させる解除手段を構成する解除ピン４７がピン挿通孔４６に挿入されるようになっている。
【００４０】
解除ピン４７は、摘み部４８の後端面より突出した丸棒状のピン本体４９と、ピン本体４９の外周部にフランジ状に形成された押圧部５０とを一体に備えている。
【００４１】
尚、押圧部５０は、摘み部４８の後端面によって構成し、ピン本体４９がピン挿通孔４６に挿入された際にイジェクタ４０の前端面に当接し、ピン本体４９による押し込み規制体４５の解除とイジェクタ４０の押し込み動作とを同時に行えるようになっている。
【００４２】
押し込み規制体４５は、図４、図５に示すように、シールドカバー２１の側板２４を切り起こし加工することにより後端がハウジング１３に支持された片持ち板ばね状に形成され、イジェクタ４０の外側面部に形成された当接面部４４ａと互いに当接するストッパー部５１と、係合孔４４を通してピン挿通孔４６内に突出する操作部５２とを備え、このストッパー部５１と操作部５２とがバネ本体５３の前端部で二股状に配置されている。
【００４３】
ストッパー部５１は、バネ本体５３の前縁より斜め内側に折り曲げた形状の傾斜部５１ａと、傾斜部５１ａの前縁より前方に延出した形状の当接部５１ｂとを備え、当接部５１ｂの前端が当接面部４４ａ、即ち、係合孔４４の前側内面と互いに当接し、イジェクタ４０の押し込み方向の移動を規制している。
【００４４】
操作部５２は、内側に折り曲げた形状の後方操作片部５２ａと、後方操作片部５２ａの先端を円弧状に折り曲げた形状の折り曲げ接点部５２ｂと、折り曲げ接点部５２ｂの他端より斜め外側に延出した形状の前方操作片部５２ｃとを備えている。
【００４５】
この押し込み規制体４５は、解除ピン４７が未挿入の場合、図５（ａ）に示すように、ストッパー部５１が当接面部４４ａと互いに当接し、操作部５２が係合孔４４を通してピン挿通孔４６内に突出した状態になっている。
【００４６】
そして、解除ピン４７がピン挿通孔４６に挿入されると、ピン本体４９の先端がまず前方操作片部５２ｃを押圧し、更に挿し込むとピン先端部が前方操作片部５２ｃと互いに摺動しつつ押し込まれ、図５（ｂ）に示すように、ピン本体４９の外周が操作部５２を外向きに押圧し、それに伴い押し込み規制体４５をストッパー部５１が当接面部４４ａより離脱する方向に動作させ、イジェクタ４０の押し込み方向の移動規制が解除され、イジェクタ４０を押し込み動作できるようになる。
【００４７】
一方、解除ピン４７をピン挿通孔４６より抜き出すとともにイジェクタ４０に作用する押し込み方向の力が解除されると、イジェクタ４０押し込み規制体４５が自身の弾性により図５（ａ）に示す状態に復帰するようになっている。
【００４８】
また、この押し込み規制体４５は、操作部５２が係合孔４４内に挿入され、後方操作片部５２ａが係合孔４４の後縁４４ｂと互いに係合することにより、一定以下の力ではイジェクタ４０が抜け出し方向で移動できないようにし、所謂ハーフロックの状態としている。
【００４９】
そして、取手部４３を引っ張りイジェクタ４０に一定以上の力を加えると、後方操作片部５２ａが係合孔４４の後縁４４ｂに押圧され、それに伴い押し込み規制体４５が外向きに動作してハーフロック状態が解除されるようになっている。
【００５０】
カード検出用スイッチ３３は、後壁部３２に配設されたカード検出用固定スイッチ端子６０と、カード体Ａがカード挿入部１１に挿入された際にカード体Ａの後縁に押圧されてカード検出用固定スイッチ端子６０より離反する方向に動作するカード検出用可動スイッチ端子６１とをもって構成されている。
【００５１】
カード検出用固定スイッチ端子６０は、導電性金属材をプレス加工することにより形成され、細長板状の固定端子６０ａを備え、固定端子６０ａが後壁部３２に形成された平面視三角形状の可動用凹部６２の前側内縁に露出するようにインサート成形により後壁部３２に組み込まれている。
【００５２】
カード検出用可動スイッチ端子６１は、弾性を有する導電性金属板材をプレス加工することにより形成され、細長板状の支持片部６１ａと、支持片部６１ａの一端側に実装用の接続端子片部６１ｂと、支持片部６１ａの他端より斜め前向きに延出した形状の接触片部６１ｃと、接触片部６１ｃの先端より斜め前向きに延出した形状の操作片部６１ｄとを備え、支持片部６１ａを後壁部３２に形成された溝部に嵌合させるとともに、接触片部６１ｃを撓ませた状態で可動用凹部６２に挿入させ、且つ、操作片部６１ｄを開口部よりカード挿入部１１に突出させた状態に後壁部３２に組み込まれている。
【００５３】
そして、このカード検出用スイッチ３３は、カード体Ａが未挿入時において、図２（ｂ）に示すように、接触片部６１ｃが自身の弾性によって可動用凹部６２内で前側縁部に付勢されて固定端子６０ａと接触することにより導通状態にあり、カード体Ａがカード挿入部１１に挿入された際には、図６に示すように、操作片部６１ｄがカード体Ａの後縁に押圧されることにより、操作片部６１ｄ及び接触片部６１ｃが後方に弾性変形しつつ回動し、カード検出用固定スイッチ端子６０の固定端子６０ａより離反し、カード検出用スイッチ３３が非導通状態になる。
【００５４】
また、カード検出用可動スイッチ端子６１は、支持片部６１ａの一部が後壁部３２に形成された独立スイッチ可動用凹部７０に露出するように固定され、独立型スイッチ１５の非操作側スイッチコンタクトとして機能するようにしている。
【００５５】
独立型スイッチ１５は、カード検出用可動スイッチ端子と兼用の非操作側スイッチコンタクト６１と、イジェクタ４０の後方に配置され、イジェクタ４０に押圧されることにより非操作側スイッチコンタクト６１に対し接触又は離反するように動作する操作側スイッチコンタクト７１とを備え、イジェクタ４０を所望の挿入位置ＰＬより後方に押し込むことにより、カード体Ａの挿抜動作から独立して動作できるようにしている。
【００５６】
操作側スイッチコンタクト７１は、導電性金属滞在をプレス加工することにより形成され、円弧状の固定部７２と、固定部７２の一端より斜め前方向に延出した形状の可動接点片部７３と、固定部７２の他端下縁より後方に延出した基板接続片部７４とを備えている。
【００５７】
この操作側スイッチコンタクト７１は、固定部７２を後壁部３２の一方の側部に形成された円弧状の固定溝７５に嵌合することにより、基板接続片部７４がハウジング１３の後方下面に露出するとともに、イジェクタ４０の後方に可動接点片部７３がカード挿入部１１側に露出させた状態に後壁部３２に保持される。
【００５８】
また、後壁部３２の前面部には、操作側スイッチコンタクト７１の位置に合わせて前面側に開放された独立スイッチ可動用凹部７０を備え、可動接点片部７３が独立スイッチ可動用凹部７０内で動作できるようになっている。
【００５９】
可動接点片部７３は、固定部７２の一端より斜め前方に向けて延出した形状の操作用斜片部７３ａと、操作用斜片部７３ａの先端より横方向に向けて延出した形状の接点支持片７３ｂとを備え、接点支持片７３ｂの先端に後方に膨出した円弧状の接点７３ｃが一体に形成されている。
【００６０】
そして、図７に示すように、イジェクタ４０を所望の挿入位置ＰＬより後方に押し込むことにより、イジェクタ４０の後端面が操作用斜片部７３ａを押圧し、可動接点片部７３が弾性変形し、接点支持片７３ｂ先端の接点７３ｃが非操作側スイッチコンタクト６１、即ち、独立スイッチ可動用凹部７０内に露出したカード検出用可動スイッチ端子６１に接触し、独立型スイッチ１５が導通状態となる。
【００６１】
その際、カード体Ａは、カード挿し込み規制部、即ち、後壁部３２の前端面３２ａに当て止めされて所望の挿入位置ＰＬより後方への移動が規制されているので、独立スイッチ１５の動作に影響を及ぼさないようになっている。
【００６２】
このように構成されたスイッチ一体型カードコネクタ１０は、イジェクタ４０が独立型スイッチ１５の操作部材の役割を兼用することにより、独立スイッチ１５用の操作部材を別個に設ける必要がなく、その分実装基板に占める面積を小さくすることができる。
【００６３】
一方、独立型スイッチ１５は、イジェクタ４０を所望の挿入位置ＰＬより後方に押し込んだ際にのみオン・オフの切替え動作ができるので、カード体の挿抜動作より独立して動作できるので、電子機器のリセットやシャットダウン認識用のスイッチとしても使用することができる。
【００６４】
尚、押し込み規制体及び解除手段の態様は、上述の実施例に限定されず、例えば、図８に示すように、片持ち板ばね状の押し出し規制体８０の前端部にイジェクタ４０の外側面に形成された係合凹部８１と嵌合する係合部８２を備え、係合部８２が係合凹部８１と係合することにより、イジェクタ４０の所望の挿入位置ＰＬより後方への移動を規制するようにした所謂ハーフロック式構造としてもよい。尚、上述の実施例と同様の構成には同一符号を付して説明を省略する。
【００６５】
その場合、押し出し規制体８０は、イジェクタ４０を一定以上の力で押し込むと係合部８２が係合凹部８１の内側面に押圧されて係合凹部８１より離脱する方向に動作するようになっている。
【００６６】
尚、上述の実施例では、非操作側スイッチコンタクトをカード検出用可動スイッチ端子に兼用させた例について説明したが、非操作側スイッチコンタクトをカード検出用可動スイッチとは別に設けてもよい。
【００６７】
尚、上述の実施例では、カード挿入部１２部分について特に言及しなかったが、イジェクタ４０に下段のカード挿入部１２側に突出した鉤部設け、イジェクタによりカード体を取り出せる構造になっている。
【００６８】
また、上述の実施例では、カード挿入部を上下二段に備えた例について説明したが一段構造のものであってもよい。
【００６９】
また、上述の実施例では、カード体ＡとしてＩＣカードを例に挙げたが、カードの態様はこれに限定されず、フラッシュメモリーカード等のその他の規格のカードも適用することができ、また、カード体Ａには、カード単体の他、カードトレイやアダプタを使用するものも含まれるものとする。
【符号の説明】
【００７０】
Ａ  カード体
１０  スイッチ一体型カードコネクタ
１１，１２  カード挿入部
１３  ハウジング
１４  コンタクト
１５  独立型スイッチ
２０  モールド部材
２１  シールドカバー
２２  天板
２３  底板
２４，２５  側板
３０  底板部
３１  側壁部
３２  後壁部
３３  カード検出用スイッチ
３６  溝部
４０  イジェクタ
４１  本体部
４２  鉤部
４３  取手部
４４  係合孔
４５  押し込み規制体
４６  ピン挿通孔
４７  解除ピン
４８  摘み部
４９  ピン本体
５０  押圧部
５１  ストッパー部
５１ａ  傾斜部
５１ｂ  当接部
５２  操作部
５２ａ  後方操作片部
５２ｂ  折り曲げ接点部
５２ｃ  前方操作片部
６０  カード検出用固定スイッチ端子
６０ａ  固定端子
６１  カード検出用可動スイッチ端子
６１ａ  支持片部
６１ｂ  接続端子片部
６１ｃ  接触片部
６１ｄ  操作片部
６２  可動用凹部
７０  可動用凹部
７１  操作側スイッチコンタクト
７２  固定部
７３  可動接点片部
７３ａ  操作用斜片部
７３ｂ  接点支持片
７３ｃ  接点
７４  基板接続片部
７５  固定溝
【図１】
2015115206.tif 000003
【図２】
2015115206.tif 000004
【図３】
2015115206.tif 000005
【図４】
2015115206.tif 000006
【図５】
2015115206.tif 000007
【図６】
2015115206.tif 000008
【図７】
2015115206.tif 000009
【図８】
2015115206.tif 000010
【図９】
2015115206.tif 000011